(57)【要約】【課題】冷蔵ショーケースにおいて、ドレンが生じない場合でも排水口での庫内外の遮断機能を確保する。【解決手段】ショーケース本体の底部に排水口１１を有し、庫内で生じたドレンを排水口１１から庫外に排出する冷蔵ショーケースにおいて、板ばね２１のばね力により排水口１１を遮断するとともに、ドレンの自重によりばね力に抗して開くフラッパ１９からなる可動蓋１７を排水口１１に設ける。ドレンが流れたときのみその自重でフラッパ１９が開き、常時は排水口１１を遮蔽する可動蓋１７を排水口１１に設けることにより、トラップに水が溜っていないときでも庫内外を遮断することができる。【選択図】  図１
2006183992.tif 000002
【特許請求の範囲】
【請求項１】
冷蔵ショーケース本体の底部に排水口を有し、庫内で生じたドレンを前記排水口から庫外に排出するドレン処理構造において、ばね力により前記排水口を遮断するとともに、前記ドレンの自重により前記ばね力に抗して開くフラッパからなる可動蓋を前記排水口に設けたことを特徴とするドレン処理構造。
【請求項２】
冷蔵ショーケース本体の底部に排水口を有し、庫内で生じたドレンを前記排水口から庫外に排出する冷蔵ショーケース用のドレン処理構造において、排水口の入口に設けられるドレンフィルターと、断面略Ｕ字状のドレン溜りを備え環状に形成されたドレンカップと、前記ドレン溜りに囲まれ上向きに突出するように開口させ前記ドレンカップと一体的に形成されたドレン排出口と、前記ドレン排出口の上面を自重により遮断する円板状の蓋体とからなり、前記蓋体はドレンカップのドレン溜りに溜るドレンの水位に応じて浮力により上方向に移動し、ドレン排出口を開放することを特徴とするドレン処理構造。
【請求項３】
前記蓋体は、中空構造からなることを特徴とする請求項２に記載のドレン処理構造。
【請求項４】
前記蓋体は、浮力のある材質からなることを特徴とする請求項２または３に記載のドレン処理構造。
【請求項５】
前記蓋体の横ずれを防止するためのセンターガイドが、ドレン口直径以内の大きさで前記蓋体の下面中央近傍に突出するようにして設けられていることを特徴とする請求項２ないし４のいずれか１つに記載のドレン処理構造。
【請求項６】
前記蓋体の周縁近傍に浮体を取付けたこと特徴とする請求項２ないし５のいずれか１つに記載のドレン処理構造。
【請求項７】
前記浮体の形状は、蓋体の周縁近傍に沿って取付け可能なように環状に形成されたことを特徴とする請求項２ないし６のいずれか１つに記載のドレン処理構造。
【請求項８】
前記蓋体の周縁近傍に取付けられた前記浮体の形状は球状であることを特徴とする請求項２ないし７のいずれか１つに記載のドレン処理構造。
【発明の詳細な説明】
【技術分野】
【０００１】
この発明は冷蔵ショーケースに関し、特に庫内で生じたドレンを庫外に排出するためのドレン処理構造に関する。
【背景技術】
【０００２】
図１３は、冷蔵ショーケースとして、多段形オープンショーケースの一般的な構造を示した縦断面図である。図１３において、前面が開放した商品陳列室３が、断熱壁からなるショーケース本体１の内部に、鋼板からなる内箱２により区画され、その周囲に冷気循環通風路４が形成されている。冷気循環通風路４には冷却器５及び送風ファン６が設置されている。冷気循環通風路４の上端部には冷気吹出口７としてハニカム構造の整流体が組み込まれ、下端部は冷気吸込口８として構成されている。商品陳列室３内には商品棚９が多段に設置されている。
【０００３】
このようなオープンショーケースにおいて、送風ファン６が運転されると、循環通風路４を気流が矢印方向に循環し、吹出口７から吹き出された気流は、商品貯蔵室３の開放面にエアカーテン１０を形成し、商品貯蔵室３を外気から遮断する。この気流は冷却器５を通過して冷却され、冷気となって循環しながら、商品棚９上の図示しない商品を冷却する。なお、内箱２の背面には図示しないが多数の小穴が設けられており、冷気はこの小穴からも庫内に流入する。
【０００４】
ここで庫内には、冷却器５の除霜水や庫内清掃の廃水などによりドレイン（通称ドレン）が生じる。そこで、これらのドレンを排水するために、ショーケース本体の底部には排水口１１が設けられ、排水口１１に集められたドレン１６は蛇腹式の排水ホース１２を介して庫外に排出されるようになっている。その場合、排水ホース１２を通して臭気等や異臭、虫などが侵入したり、冷気が庫外に漏れたりすることを防止するために、排水口部分には通常、庫内外を遮断するためにＵ字状のドレン溜りを形成するトラップが設けられている。
【０００５】
図１４はトラップの一例を示す排水溝部分の縦断面図で、排水口１１には断面Ｕ字状の環状のドレン溜り１３を形成するドレンカップ１５が装着されるとともに、先端がドレン溜り１３に差し込まれる円筒状のドレンフィルター１４がドレンカップ１５に嵌め込まれている。排水口１１に集められたドレン１６は、矢印で示すようにドレンフィルター１４の周壁の穴を通してドレンカップ１５に流入し、ドレン溜り１３を潜り抜けて排水ホース１２から排出される。ドレン溜り１３には図示の通りドレン１６が溜まり、このドレン１６により庫内外が遮断される。この種のトラップについては、例えば特許文献１に記載されている。
【０００６】
図１５は別の例を示すもので、この場合には排水ホース１２がＵ字状に屈曲されることによりドレン溜り１３からなるトラップが形成され、ドレン溜り１３に溜るドレン１６により庫内外の遮断が行われる。
【特許文献１】実開昭６３−４０７８３号公報
【発明の開示】
【発明が解決しようとする課題】
【０００７】
上述の通り、従来の排水口は、Ｕ字状のトラップにドレンを溜めることにより庫内外の遮断を行っている。しかしながら、冷蔵ショーケースにおいても冷却温度設定によってはドレンがほとんど発生しないことがあり、また冬場にもドレンがほとんど発生しない。その場合、従来のトラップはドレンが溜らないため、遮断の役目を果たさなくなるという問題があった。
【０００８】
この発明の課題は、冷蔵ショーケース等のドレン処理構造において、ドレンが生じない場合でも排水口における庫内外の遮断機能を確保することにある。
【課題を解決するための手段】
【０００９】
上記課題を解決するために、請求項１の発明は、冷蔵ショーケース本体の底部に排水口を有し、庫内で生じたドレンを前記排水口から庫外に排出する冷蔵ショーケース用のドレン処理構造において、ばね力により前記排水口を遮断するとともに、前記ドレンの自重により前記ばね力に抗して開くフラッパからなる可動蓋を前記排水口に設けるものである。
【００１０】
請求項２の発明は、冷蔵ショーケース本体の底部に排水口を有し、庫内で生じたドレンを前記排水口から庫外に排出する冷蔵ショーケース用のドレン処理構造において、排水口の入口に設けられるドレンフィルターと、断面略Ｕ字状のドレン溜りを備え環状に形成されたドレンカップと、前記ドレン溜りに囲まれ上向きに突出するように開口させ前記ドレンカップと一体的に形成されたドレン排出口と、前記ドレン排出口の上面を自重により遮断する円板状の蓋体とからなり、前記蓋体はドレンカップのドレン溜りに溜るドレンの水位に応じて浮力により上方向に移動し、ドレン排出口を開放するものである。
【００１１】
請求項３の発明は、前記蓋体を、中空構造としたものである。
【００１２】
請求項４の発明は、前記蓋体を、浮力のある材質としたものである。
【００１３】
請求項５の発明は、前記蓋体の横ずれを防止するためのセンターガイドを、ドレン口直径以内の大きさで前記蓋体の下面中央近傍に突出するように設けたものである。
【００１４】
請求項６の発明は、前記蓋体の周縁近傍に浮体を取付けたものである。
【００１５】
請求項７の発明は、前記浮体の形状を、蓋体の周縁近傍に沿って取付け可能なように環状に形成したものである。
【００１６】
請求項８の発明は、前記蓋体の周縁近傍に取付けられた前記浮体の形状を球状にしたものである。
【発明の効果】
【００１７】
請求項１の発明によれば、ドレンが流れたときのみ自重で開き、常時は排水口を遮断または遮蔽する可動蓋を排水口に設けることにより、ドレンカップにドレンがないときでも庫内外を遮断または遮蔽することができる。
【００１８】
請求項２ないし８の発明によれば、ドレン排出口の上面に自重により遮断する蓋体を設けることで、ドレンカップにドレンがないときは蓋体の自重作用により常時排水口を遮断し、ドレンカップにドレンを受けることで、ドレンカップに溜るドレンの水位に応じて浮力により蓋体は上方向に移動してドレン排出口を開放しドレンを庫外へ排出することができる。
【発明を実施するための最良の形態】
【００１９】
以下に、本発明の上記および他の目的、特徴および利点を明確にすべく、添付した図面を参照しながら、本発明の実施の形態につき詳細に説明する。
【実施例１】
【００２０】
図１及び図２において、可動蓋１７は心棒１８に回動可能に保持された左右一対の半円形のフラッパ１９を備え、心棒１８の両端が排水口１１に装着された樹脂成形品からなるドレンカップ１５の上面のＵ溝２０に緩く嵌め込まれることにより、排水口１１の入口に支持されている。
【００２１】
図２に示すように、各フラッパ１９は、両端２箇所のヒンジ部１９ａを介して心棒１８に緩く連結され、心棒１８の中央部に左右に張り出すように固着された板ばね２１の両翼により下方からそれぞれ支えられて、常時は水平な円形姿勢を保っている。板ばね２１は、左右中心に逆Ｕ字状の凹部が折り曲げ形成され、この凹部を介して心棒１８に嵌め込まれるとともに、ロー付けや接着などにより固着されている。心棒１８及びフラッパ１９には、ステンレス材やプラスチック材により製作される。
【００２２】
図１において、可動蓋１７は、ドレンが来ない状態では心棒１８を中心に左右がバランスして水平を保ち、排水口１１を遮断している。これにより、冷蔵ショーケースの庫内は臭気等から遮断される。一方、ドレンがフラッパ１９上に来ると、フラッパ１９はドレンの重量を受けて板ばね２１のばね力に抗して二点鎖線で示すように開く。これにより、ドレンは排水ホース１２から排出される。排出が終わると、フラッパ１９は板ばね２１のばね力により水平状態に復帰する。
【００２３】
この発明によれば、ドレンが無い場合に排水口１１が遮断されるため、トラップに水が溜まっていない状態でも庫内外の遮断が可能であり、可動蓋１７をトラップと併置することにより遮断が一層確実になる。
【実施例２】
【００２４】
本実施例のドレン処理構造において、図３及び図４に示すように、排水口１１の入口にドレンフィルター１４ａが設けられている。このドレンフィルター１４ａの下部には、断面略Ｕ字状のドレン溜り１３を備え環状に形成されたドレンカップ１５が設けられている。
【００２５】
また、このドレンカップ１５中央近傍には、前記ドレン溜り１３に囲まれ上向きに突出するように開口し前記ドレンカップ１５と一体的に形成されたドレン排出口２５が前記ドレン溜り１３と一体的に形成されている。
【００２６】
このドレン排出口２５の上面には庫内外を遮断するための蓋体２２が設けられている。
【００２７】
この蓋体２２は、ドレン排出口２５の直径より大きくドレンカップ１５の直径より小さい円板状に形成され、中空あるいは発泡材等の浮力の大きい材質の材料が用いられている。
【００２８】
このように形成された蓋体２２は、前記ドレンカップ１５のドレン溜り１３に溜るドレン１６の水位に応じて蓋体２２の浮力により上方向に移動し（図４の矢印破線参照）、ドレン排出口２５を開放してドレン１６を外部に排出する。
【００２９】
一方、ドレンカップ１５のドレン溜り１３にドレン１６がない場合には、蓋体２２は自重作用によりドレン排出口２５を遮断するので、これにより庫内外の遮断機能を確保することができる（図３参照）。
【００３０】
前記蓋体２２には、ドレン排出口２５を横ずれなく遮断するためのセンターガイド２４が、ドレン排出口２５直径以内の大きさで前記蓋体２２の下面中央近傍に突出するように取付けられている（図３及び図４参照）。なお、センターガイド２４の形状は、図３及び図４で示した、断面形状が逆台形状のものや、図８ないし図１２で示した逆三角錐状のものを本実施例では採用したが、形状はこれらに限定されるものではない。
【００３１】
図３及び図４に示すように、蓋体２２の周縁側には、蓋体２２に浮力を確保するための断面略逆凹字状でリング状に形成された浮体２３が取付けられている。これによりドレン排出口２５の上面に、浮力の小さい蓋体２２を設けた場合であっても、ドレン排出口２５の開放を確実に行う事ができる。なお、浮体２３の取付け場所は、図５ないし図７に示すように、蓋体２２の周縁下面側に取付けても良い。
【００３２】
図５ないし図７にて示す実施例には、図３及び図４で示したようなセンターガイド２４が蓋体２２には取付けられていないが、これは蓋体２２に取付けられる一定の高さをもつリング状に形成された浮体２３が、蓋体２２の浮力を確保するとともに、キャップのようにドレン排出口２５に覆い被さることで蓋体２２の横ずれをも防止する機能を果たしている。
【００３３】
図８ないし図１０に示すその他の実施例では、中空で球状の浮体２３を蓋体２２下面の所定の箇所に所定の間隔で取付けたものである。
【００３４】
更に、より大きな浮力を確保するためには、図１０および図１１に示すように、浮輪状の浮体２３を蓋体の下面に取付けることで庫内外の遮断・開放がより一層確実なものとなる。
【図面の簡単な説明】
【００３５】
【図１】本発明の一実施例を示すドレン処理構造の排水口部分の縦断面図である。
【図２】図１の平面図である。
【図３】本発明のその他の実施例を示すドレン処理構造の排水口部分の縦断面図である。
【図４】図３において、蓋体がドレンの浮力によって上方向に移動した状態を示すドレン処理構造の排水口部分の縦断面図である。
【図５】本発明のその他実施例を示す蓋体の縦断面図である。
【図６】図５のＳ−Ｓ線断面図である。
【図７】図５及び図６で示した蓋体を使用したドレン処理構造の排水口部分の縦断面図である。
【図８】本発明のその他実施例を示す蓋体の底面図である。
【図９】図８のＳ'−Ｓ'線断面図である。
【図１０】図８及び図９で示した蓋体を使用したドレン処理構造の排水口部分の縦断面図である。
【図１１】本発明のその他実施例を示す蓋体の底面図である。
【図１２】図１１のＳ''−Ｓ''線断面図である。
【図１３】オープンショーケースの一般的な構造を示す縦断面図である。
【図１４】図１３のオープンショーケースにおける排水口部分の従来例を示す縦断面図である。
【図１５】図１３のオープンショーケースにおける排水口部分の異なる従来例を示す縦断面図である。
【符号の説明】
【００３６】
１    ショーケース本体
１１    排水口
１２    排水ホース
１３    ドレン溜り
１４    ドレンフィルター
１４ａ  ドレンフィルター
１５    ドレンカップ
１６    ドレン
１７    可動蓋
１８    心棒
１９    フラッパ
２０    Ｕ溝
２１    板ばね
２２    蓋体
２３    浮体
２４    センターガイド
２５    ドレン排出口
【図１】
2006183992.tif 000003
【図２】
2006183992.tif 000004
【図３】
2006183992.tif 000005
【図４】
2006183992.tif 000006
【図５】
2006183992.tif 000007
【図６】
2006183992.tif 000008
【図７】
2006183992.tif 000009
【図８】
2006183992.tif 000010
【図９】
2006183992.tif 000011
【図１０】
2006183992.tif 000012
【図１１】
2006183992.tif 000013
【図１２】
2006183992.tif 000014
【図１３】
2006183992.tif 000015
【図１４】
2006183992.tif 000016
【図１５】
2006183992.tif 000017